(57)【特許請求の範囲】
【請求項１】
背板を家具後端よりやや前方に配置させたオーディオ家具を壁面に当接させて配置して壁面に設けたコンセントを背板との間の隙間に収め、コンセントに対向する背板箇所にコンセントよりも大きい開口を形成し、オーディオ家具の内部に棚を形成するとともに該棚と背板との間には隙間を設け、棚の下方であり且つ背板の開口の前方である収納空間には引出しを前後にスライド自在に設け、引出しを最も奥に押し込んだ場合に背板との間に隙間が形成されるように設け、オーディオ家具の天板には、背板の開口の平面視における近傍位置に配線孔を設けて成ることを特徴とするオーディオ家具の配線構造。
【発明の詳細な説明】
【０００１】
【発明の属する技術分野】
本発明は、オーディオ家具の配線構造に関し、詳しくは、収納されたオーディオ機器への配線を外観を高めて容易におこなえるようにする技術に係るものである。
【０００２】
【従来の技術】
従来、オーディオ機器を収納するオーディオ家具を壁面に近接させて設置する際に、設置を望む箇所にはコンセントがない場合が殆どである。このような場合には、壁面のコンセントにまでオーディオ機器側の配線を伸ばすのであり、外観が低下するという問題があった。
【０００３】
【発明が解決しようとする課題】
ところで、オーディオ機器を設置する箇所にコンセントが存在する場合には、オーディオ家具の背板が壁面から突出しているコンセントに当接することから、オーディオ家具を壁面からやや離して設置することになり、壁面にオーディオ家具を当接させて隙間なく設置することができないものである。又、背板に穿孔をおこなってオーディオ機器への配線をおこなう場合に、背板に形成した配線孔に当接させてビデオソフト等の物品を整然と置くことが難しくなるものである。
【０００４】
本発明はこのような問題に鑑みてなされたものであり、収納されたオーディオ機器への配線を外観を高めて容易におこなうことができるオーディオ家具の配線構造を提供することを課題とするものである。
【０００５】
【課題を解決するための手段】
本発明においては、背板３をオーディオ家具の後端よりやや前方に配置させたオーディオ家具を壁面１に当接させて配置して壁面１に設けたコンセント２を背板３との間の隙間に収め、コンセント２に対向する背板３箇所にコンセント２よりも大きい開口４を形成し、オーディオ家具の内部に棚１４を形成するとともに該棚１４と背板３との間には隙間を設け、棚１４の下方であり且つ背板３の開口４の前方である収納空間には引出し５を前後にスライド自在に設け、引出し５を最も奥に押し込んだ場合に背板３との間に隙間が形成されるように設け、オーディオ家具の天板６には、背板３の開口４の平面視における近傍位置に配線孔７を設けてあることを特徴とするものである。このような構成によれば、オーディオ家具を設置する箇所が決まればその箇所にコンセント２を設置しておくことで、コンセント２をオーディオ家具の背板３との間の隙間に収納することができて壁面１にオーディオ家具を当接させて設置することができ、かつ、コンセント２を背板３の開口４に臨ませることができ、収納されたオーディオ機器への配線を外観を損なうことなく容易にできる。
【０００６】
また本発明においては、コンセント２からの配線が通る開口４の前方には引出し５が存在していて開口４を覆うように物品を置くことがなく、配線に他物が当たることがなく、配線の外れを招くようなこともない。
【０００７】
更に本発明においては、オーディオ家具の上に置いたテレビジョンのような機器とオーディオ家具に収納された機器との接続を、天板６の配線孔７によって最短距離でおこなうことができる。
【０００８】
【発明の実施の形態】
以下、本発明の実施の形態を説明する。図１（ａ）は概略平断面図、同図（ｂ）は概略正面図、同図（ｃ）は概略平面図、図２（ａ）は平断面図、同図（ｂ）は概略側断面図、同図（ｃ）は拡大側断面図である。
【０００９】
オーディオ家具Ａは、背板３、左右の側板８，８、天板６及び地板１０から構成され、内部には棚１４を形成してビデオデッキ、オーディオ機器等のＡＶ機器１２を収納して載置し、又、地板１０の上にはガイドレール１３に沿って引出し５を前方にスライド自在にして引出し可能に設けている。天板６にはテレビジョン等のＡＶ機器１５が載置される。
【００１０】
図２（ｃ）に示すように、背板３の下端部は地板１０の凹溝１６に挿入されて左右の側板８，８の後木口よりも前方に位置していて、壁面１に設置されるコンセント２を壁面１と背板３との間の隙間に収納できるようにしている。
【００１１】
背板３には予め形成されている打ち抜き縁において打ち抜いて開口４を形成している。開口４はコンセント２よりも充分に大きいものである。開口４の前方には上記引出し５が配設されている。又、天板６に背板３の開口４の平面視における近傍位置に配線孔７を設けている。
【００１２】
しかして、オーディオ家具Ａを設置する箇所が決まればその箇所にコンセント２を設置しておくことで、コンセント２をオーディオ家具Ａの背板３との間の隙間に収納してオーディオ家具Ａを壁面１に当接させて設置することができるのであり、かつ、コンセント２を背板３の開口４に臨ませるのであり、収納されたオーディオ機器への配線を外観を損なうことなく容易にできるものである。
【００１３】
ところで、コンセント２からの配線が通る開口４の前方には引出し５があって、開口４の前方に物品を置くことがなく、配線に他物が当たることがなく、配線の外れを招くようなこともないものである。又、ビデオソフトのような物品は棚１４に整然と置くのである。更に、オーディオ家具の天板６に背板３の開口４の平面視における近傍位置に配線孔７があって、オーディオ家具Ａの上に置いた機器とオーディオ家具Ａに収納された機器との接続を天板６の配線孔７によって最短距離でおこなうことができるものである。この場合、引出し５をガイドレール１３に沿って最も奥に押し込んだ場合に、背板３との間に隙間が形成され、又、棚１４の奥縁と背板３との間にも隙間が形成されていて、天板６上に載置した機器への配線を良好におこなえるものである。
【００１４】
【発明の効果】
本発明においては、背板をオーディオ家具の後端よりやや前方に配置させたオーディオ家具を壁面に当接させて配置して壁面に設けたコンセントを背板との間の隙間に収め、コンセントに対向する背板箇所にコンセントよりも大きい開口を形成してあるから、オーディオ家具を設置する箇所が決まればその箇所にコンセントを設置しておくことで、コンセントをオーディオ家具の背板との間の隙間に収納することができて壁面にオーディオ家具を当接させて設置することができ、かつ、コンセントを背板の開口に臨ませることができ、収納されたオーディオ機器への配線を外観を損なうことなく容易にできるという利点がある。
【００１５】
また本発明においては、オーディオ家具の内部に棚を形成し、棚の下方であり且つ背板の開口の前方である収納空間には引出しを前後にスライド自在に設けているから、コンセントからの配線が通る開口に物品を置くことがなく、配線に他物が当たることがなく、配線の外れを招くようなこともないという利点がある。
【００１６】
更に本発明においては、棚と背板との間には隙間を設け、引出しを最も奥に押し込んだ場合に背板との間に隙間が形成されるように設け、オーディオ家具の天板に背板の開口の平面視における近傍位置に配線孔を設けてあるから、オーディオ家具の上に置いた機器とオーディオ家具に収納された機器との接続を、天板の配線孔によって最短距離でおこなうことができるという利点がある。
【図面の簡単な説明】
【図１】本発明の実施の一形態を示し、（ａ）は概略平断面図、（ｂ）は扉を外している状態の概略正面図、同図（ｃ）は概略平面図である。
【図２】（ａ）は概略平断面図、（ｂ）は概略側断面図、（ｃ）は拡大側断面図である。
【符号の説明】
１  壁面
２  コンセント
３  背板
４  開口
５  引出し
６  天板
７  配線孔
【図１】
0004320851.tif 000002
【図２】
0004320851.tif 000003